(57)【要約】  開示の技術は、上記に鑑みてなされたものであって、基地局の送信電力を迅速に調整し、システム全体の消費電力を効率良く低減できる無線通信方法、無線通信システム、基地局および無線端末を提供することを目的とする。  無線通信方法は、基地局で、前記基地局の規定の送信電力よりも低減した送信電力で信号を送信し、無線端末で、前記基地局の信号を検知した場合に、前記基地局の送信電力の低減に関する情報と、前記基地局の信号の受信レベルに基づいて、前記基地局への前記送信電力の低減を解除するための低減解除要求を通知する。
2013175534.tif 000002
【特許請求の範囲】
【請求項１】
無線通信方法であって、
基地局で、前記基地局の規定の送信電力よりも低減した送信電力で信号を送信し、
無線端末で、前記基地局の信号を検知した場合に、前記基地局の送信電力の低減に関する情報と、前記基地局の信号の受信レベルに基づいて、前記基地局への前記送信電力の低減を解除するための低減解除要求を通知する、
ことを特徴とする無線通信方法。
【請求項２】
前記基地局の周辺基地局に接続する無線端末で、前記周辺基地局を介して取得される前記基地局を識別する情報に基づいて前記基地局の信号を検知した場合に、前記周辺基地局を介して取得される前記基地局の送信電力の低減に関する情報と、前記基地局の信号の受信電力とに基づいて、前記基地局への前記低減解除要求を通知する、
ことを特徴とする請求項１に記載の無線通信方法。
【請求項３】
前記基地局に接続する無線端末が存在しない場合に、あるいは前記基地局に接続する無線端末が存在しない状態が所定時間以上継続した場合に、前記基地局で前記送信電力の低減を行う、
ことを特徴とする請求項１又は２に記載の無線通信方法。
【請求項４】
前記低減に関する情報から、前記基地局に前記低減解除要求を通知するか否かを判定するための前記基地局の低減解除用パラメータを取得して、前記周辺基地局に接続する無線端末に通知し、
前記周辺基地局に接続する無線端末で、前記基地局の低減解除用パラメータと前記基地局の信号の受信電力とに基づいて、前記基地局への前記低減解除要求を通知する、
ことを特徴とする請求項２又は３に記載の無線通信方法。
【請求項５】
前記基地局の低減解除用パラメータを、前記基地局にハンドオーバ要求を通知するか否かを判定するためのハンドオーバ用パラメータとして、前記周辺基地局に接続する無線端末に通知し、
前記周辺基地局に接続する無線端末で、前記基地局のハンドオーバ用パラメータと前記基地局の信号の受信電力とに基づいて、前記基地局への前記ハンドオーバ要求を通知し、  前記基地局で前記ハンドオーバ要求を取得して、前記送信電力の低減を解除すると共に、前記ハンドオーバ要求に応じてハンドオーバ手順を実行する、
ことを特徴とする請求項４に記載の無線通信方法。
【請求項６】
前記基地局に接続するすべての無線端末の通信品質が所定値以上の場合に、あるいは前記基地局に接続するすべての無線端末の通信品質が所定値以上の状態が所定期間以上継続した場合に、前記基地局で前記送信電力の低減を行う、
ことを特徴とする請求項１〜５のいずれかに記載の無線通信方法。
【請求項７】
前記低減した送信電力で送信された信号を受信する、前記基地局に接続するいずれかの無線端末で、通信品質が所定値未満となった場合に、前記無線端末から前記基地局への前記低減解除要求を通知する、
ことを特徴とする請求項１又は６に記載の無線通信方法。
【請求項８】
前記基地局で前記低減解除要求に応じて前記送信電力の低減を解除する、
ことを特徴とする請求項１〜７のうちいずれかに記載の無線通信方法。
【請求項９】
前記周辺基地局に接続する無線端末の移動速度が所定条件を満たす場合に、前記周辺基地局に接続する無線端末から通知される前記低減解除要求を破棄し、前記基地局で前記送信電力の低減を解除しない、
ことを特徴とする請求項１〜８のうちいずれかに記載の無線通信方法。
【請求項１０】
前記所定条件として、前記移動速度が所定閾値以上の場合に、前記周辺基地局に接続する無線端末から通知される前記低減解除要求を破棄する、
ことを特徴とする請求項９に記載の無線通信方法。
【請求項１１】
基地局と無線端末とを含む無線通信システムであって、
前記基地局は、
前記基地局の規定の送信電力よりも低減した送信電力で信号を送信する送信部を有し、
前記無線端末は、
前記基地局の信号を検知した場合に、前記基地局の送信電力の低減に関する情報と、前記基地局の信号の受信レベルに基づいて、前記基地局への前記送信電力の低減を解除するための低減解除要求を通知させる制御部を有する
ことを特徴とする無線通信システム。
【請求項１２】
無線通信システムにおける基地局であって、
前記基地局の規定の送信電力よりも低減した送信電力で信号を送信する送信部と、
前記基地局の信号を検知した無線端末から、前記基地局の送信電力の低減に関する情報と、前記基地局の信号の受信レベルとに基づいて通知される、前記送信電力の低減を解除するための前記基地局への低減解除要求に応じて、前記送信電力の低減を解除する制御部と、を有する
ことを特徴とする基地局。
【請求項１３】
無線通信システムにおける無線端末であって、
基地局から、前記基地局の規定の送信電力よりも低減した送信電力で送信される信号を受信する受信部と、
前記基地局の信号を検知した場合に、前記基地局の送信電力の低減に関する情報と、前記基地局の信号の受信レベルとに基づいて、前記送信電力の低減を解除するための前記基地局への低減解除要求を通知させる制御部と、を有する
ことを特徴とする無線端末。
【発明の詳細な説明】
【技術分野】
【０００１】
本発明は、無線通信方法、無線通信システム、基地局および無線端末に関する。
【背景技術】
【０００２】
近年、携帯電話システム等の無線通信システムにおいて、無線通信の更なる高速化・大容量化等を図るため、次世代の無線通信技術について議論が行われている。例えば、標準化団体である３ＧＰＰ（3rd Generation Partnership Project）では、ＬＴＥ（Long Term Evolution）と呼ばれる通信規格や、ＬＴＥの無線通信技術をベースとしたＬＴＥ−Ａ（LTE - Advanced）と呼ばれる通信規格が提案されている。【０００３】
このような無線通信システムで、システム全体の消費電力の低減を実現する技術が提案されている。この技術では例えば、複数の基地局のカバーエリアにおけるトラヒック量を制御局で測定し、トラヒック量や統計的なトラヒック量の変化に応じて、基地局の送信電力の増減や電源のＯＮ／ＯＦＦを行うことで、システム全体の消費電力を低減する。
【先行技術文献】
【特許文献】
【０００４】
【特許文献１】特開2006-101442号公報
【非特許文献】
【０００５】
【非特許文献１】3GPP  TR 32.826 V10.0.0 (2010-03)
【発明の概要】
【発明が解決しようとする課題】
【０００６】
上述のような無線通信システムにおいて、例えば様々な規模や種類のセルが混在することが想定される。このとき、例えば比較的セル半径の小さいセルを形成する基地局では、ユーザ（無線端末）数が少ない場合や、ユーザ分布に偏りがある場合が想定される。このため、上述のようにトラヒック量や統計的なトラヒック量の変化に応じて、基地局の送信電力の増減や電源のＯＮ／ＯＦＦを行うのでは、低減した送信電力やＯＦＦにした電源を元に戻すタイミングが適切に設定されず、消費電力の低減を効率良く行うことができない恐れがある。【０００７】
開示の技術は、上記に鑑みてなされたものであって、無線通信システムにおいて、基地局の送信電力を迅速に調整し、システム全体の消費電力を効率良く低減できる無線通信方法、無線通信システム、基地局および無線端末を提供することを目的とする。
【課題を解決するための手段】
【０００８】
上述した課題を解決し、目的を達成するために、本件の開示する無線通信方法は、基地局で、前記基地局の規定の送信電力よりも低減した送信電力で信号を送信し、無線端末で、前記基地局の信号を検知した場合に、前記基地局の送信電力の低減に関する情報と、前記基地局の信号の受信レベルに基づいて、前記基地局への前記送信電力の低減を解除するための低減解除要求を通知する。
【発明の効果】
【０００９】
本件の開示する無線通信方法の一つの態様によれば、無線通信システムにおいて、基地局の送信電力を迅速に調整し、システム全体の消費電力を効率良く低減できるという効果を奏する。
【図面の簡単な説明】
【００１０】
【図１】図１は、第１実施形態に係る無線通信システムの構成を示す図である。
【図２】図２は、第１実施形態に係る基地局の構成を示す機能ブロック図である。
【図３】図３は、第１実施形態に係る無線端末の構成を示す機能ブロック図である。
【図４】図４は、第１実施形態に係る基地局のハードウェア構成を示す図である。
【図５】図５は、第１実施形態に係る無線端末のハードウェア構成を示す図である。
【図６】図６は、第１実施形態に係る無線通信システムの動作を説明するためのシーケンス図である。
【図７】図７は、第１実施形態に係る基地局の送信電力制御を説明するためのグラフである。
【図８】図８は、第１実施形態に係る無線通信システムの動作を説明するための図である。
【図９】図９は、第１実施形態に係る無線通信システムの動作を説明するための図である。
【図１０】図１０は、第２実施形態に係る無線通信システムの構成を示す図である。
【図１１】図１１は、第２実施形態に係る無線通信システムの基地局の構成を示す機能ブロック図である。
【図１２】図１２は、第２実施形態に係る無線通信システムの無線端末の構成を示す機能ブロック図である。
【図１３】図１３は、第２実施形態に係る無線通信システムの動作を説明するためのシーケンス図である。
【図１４】図１４は、第３実施形態に係る無線通信システムの動作を説明するためのシーケンス図である。
【図１５】図１５は、第４実施形態に係る無線通信システムの基地局の構成を示す機能ブロック図である。
【図１６】図１６は、第４実施形態に係る無線通信システムの動作を説明するためのシーケンス図である。
【発明を実施するための形態】
【００１１】
以下に、本件の開示する無線通信方法、無線通信システム、基地局および無線端末の実施例を、図面を参照しながら説明する。なお、以下の実施例により本件の開示する無線通信方法、無線通信システム、基地局および無線端末が限定されるものではない。
【００１２】
［第１実施形態］
図１は、第１実施形態に係る無線通信システム１の構成を示す。図１に示すように、無線通信システム１は、３つの基地局１０Ａ〜Ｃと、５つの無線端末２０Ａ〜Ｅとを有する。基地局１０Ａ〜Ｃはそれぞれ、セルＣ１０Ａ〜Ｃを形成している。無線端末２０Ａ，ＢはセルＣ１０Ｂに存在し、無線端末２０ＣはセルＣ１０Ａに存在し、無線端末２０Ｄ，ＥはセルＣ１０Ｃに存在している。
【００１３】
基地局１０Ａ〜Ｃは、有線接続を介してネットワーク装置３と接続されており、ネットワーク装置３は、有線接続を介してネットワーク２に接続されている。そして、基地局１０Ａ〜Ｃは、ネットワーク装置３およびネットワーク２を介して、データや制御情報を送受信可能に設けられている。
【００１４】
ネットワーク装置３は、例えば通信部４と制御部５とを備え、これら各構成部分が、一方向または双方向に、信号やデータの入出力が可能なように接続されている。ネットワーク装置３は、例えばゲートウェイにより実現される。ネットワーク装置３のハードウェア構成としては、例えば通信部４はインタフェース回路、制御部５はプロセッサとメモリとで実現される。
【００１５】
図２は、基地局１０Ａの構成を示す機能ブロック図である。なお、基地局１０Ｂ，Ｃの機能的構成及びハードウェア構成は、基地局１０Ａと同様である。図２に示すように、基地局１０Ａは、送信部１１と、受信部１２と、制御部１３とを備える。これら各構成部分は、一方向または双方向に、信号やデータの入出力が可能なように接続されている。
【００１６】
送信部１１は、データ信号や制御信号を、制御部１３により指示される送信電力で、アンテナを介して送信する。送信部１１は、例えば下りのデータチャネルや制御チャネルを介して、下り信号を送信する。送信する信号は例えば、基地局１０Ａの識別情報や、基地局１０Ａからの信号の送信電力を低減する際の低減に関する情報や、無線端末２０Ａ〜Ｅが基地局１０Ａからの信号の受信レベルを測定するためのリファレンス信号や、無線端末２０Ａ〜Ｅで、ハンドオーバ手順の実行を要求するためのハンドオーバ要求を通知するか否かを判定するためのハンドオーバ用パラメータを含む。例えば、リファレンス信号は、下りチャネルの時間方向又は周波数方向に、周期的に挿入して送信される。なお、リファレンス信号の挿入は非周期的でもよい。
【００１７】
受信部１２は、無線端末２０Ａ〜Ｅから送信されたデータ信号や制御信号を、アンテナを介して受信する。受信部１２は、例えば上りのデータチャネルや制御チャネルを介して、上り信号を受信する。受信する信号は例えば、無線端末２０Ａ〜Ｅから送信されるランダムアクセス信号を含む。ランダムアクセス信号は、ランダムアクセス手順で無線端末から送信される信号である。基地局１０Ａ〜Ｃは、ランダムアクセス信号を受信して情報のやり取りを行うことで、無線端末を認識し、自局に接続している無線端末（接続ユーザ）の情報を管理する。なお、アンテナは送信と受信で共通でもよい。
【００１８】
制御部１３は、有線接続あるいは無線接続を介して、ネットワーク装置３や他の基地局１０Ｂ，Ｃからデータや制御情報を取得する。制御部１３は、送信するデータや制御情報を送信部１１に出力する。制御部１３は、受信されるデータや制御情報を受信部１２から入力する。
【００１９】
制御部１３は、基地局１０Ａから送信する信号の送信電力を制御する。制御部１３は、通常時には、通常の送信電力制御で、予め通知される或いは格納される制御情報等に基づいて既定の送信電力Ｐを算出し、既定の送信電力Ｐで信号を送信させる。規定の送信電力Ｐは例えば、基地局１０Ａの送信信号が通常時の規定のエリアをカバーするように設定される。また、制御部１３は、送信電力低減時には、既定の送信電力Ｐよりも低減した送信電力で信号を送信させる。例えば、送信電力低減時には、既定の送信電力Ｐをオフセット量Ｃだけ低減した送信電力で信号を送信させる。制御部１３は例えば、基地局１０Ａに接続する無線端末が存在しない場合に、あるいは基地局１０Ａに接続する無線端末が存在しない状態が所定時間以上継続した場合に、基地局１０Ａで送信電力の低減を行う。
【００２０】
また、制御部１３は、基地局１０Ａが規定の送信電力Ｐを低減した送信電力で信号を送信する場合（基地局１０Ａが送信電力低減基地局）、無線端末２０Ａ〜Ｅから送信される送信電力の低減を解除するための低減解除要求（オフセット解除要求）を取得し、送信電力の低減を解除して、送信電力を既定の送信電力Ｐに戻す。例えば、基地局１０Ａの周辺基地局１０Ｂ，Ｃに接続する無線端末２０Ａ，Ｂ，Ｄ，Ｅから通知される低減解除要求は、無線端末２０Ａ，Ｂ，Ｄ，Ｅが存在するセルを形成する基地局１０Ｂ，Ｃと、ネットワーク装置３及びネットワーク２と、を介して取得される。また例えば、基地局１０Ａに接続する無線端末２０Ｃから通知される低減解除要求は、無線端末２０Ｃから無線送信を介して取得される。
【００２１】
また、制御部１３は、他の基地局１０Ｂ，Ｃが規定の送信電力Ｐを低減した送信電力で信号を送信する場合（他の基地局１０Ｂ，Ｃが送信電力低減基地局）、他の基地局１０Ｂ，Ｃから低減に関する情報（オフセットに関する情報）を取得する。例えば、オフセット量Ｃが取得される。そして、制御部１３は、取得した低減に関する情報に基づいて、他の基地局１０Ｂ，Ｃでの送信電力の低減解除に関する情報（オフセット解除に関する情報）を取得し、自セル（基地局１０Ａが形成するセルＣ１０Ａ）内の無線端末に通知する。低減解除に関する情報として、例えば、自セル内の無線端末が他の基地局１０Ｂ，Ｃに低減解除要求を通知するか否かを判定するために用いられる、オフセット解除用パラメータが通知される。なお、制御部１３は、他の基地局１０Ｂ，Ｃから取得した低減に関する情報をそのまま、自セル内の無線端末に通知してもよい。
【００２２】
図３は、無線端末２０Ａの構成を示す機能ブロック図である。図３に示すように、無線端末２０Ａは、送信部２１と、受信部２２と、制御部２３とを備える。これら各構成部分は、一方向又は双方向に、信号やデータの入出力が可能なように接続されている。なお、無線端末２０Ｂ〜Ｅの機能的構成およびハードウェア構成は、無線端末２０Ａの機能的構成及びハードウェア構成と同様である。
【００２３】
送信部２１は、データ信号や制御信号を、アンテナを介して送信する。送信部２１は、例えば上りのデータチャネルや制御チャネルを介して、上り信号を送信する。送信する信号は例えば、ランダムアクセス信号や、低減解除要求や、ハンドオーバ要求を含む。無線端末２０Ａは、無線端末２０Ａが特定の基地局に接続する場合や、無線端末２０Ａが移動元基地局から移動先基地局にハンドオーバする場合に、ランダムアクセス信号を送信し、ランダムアクセス手順により、基地局と呼接続のための情報のやり取りを行う。
【００２４】
受信部２２は、基地局から送信されたデータ信号や制御信号を、アンテナを介して受信する。受信する信号は例えば、リファレンス信号や、送信電力低減基地局での低減に関する情報を含む。リファレンス信号は例えば、無線端末１０Ａが存在するセル（自セル）や自セルの周辺のセル（他セル）との間の伝搬状態を測定するために用いられる。なお、アンテナは送信と受信で共通でもよい。
【００２５】
制御部２３は、送信するデータや制御情報を送信部２１に出力する。また、制御部２３は、受信部２２から受信されるデータや制御情報を入力する。
【００２６】
制御部２３は、無線端末１０Ａが存在するセルを形成する基地局からのリファレンス信号を検知し、受信レベルを測定する（自セル測定）。また、制御部２３は、他セルを形成する基地局からのリファレンス信号を検知し、受信レベルを測定する（他セル測定）。受信レベルは、例えば受信電力や受信品質を含む。受信レベルとして、例えば、ＲＳＲＰ（Reference Signal Received Power）、ＲＳＲＱ（Reference Signal Received Quality）（＝受信電力値／総電力値）、ＳＩＲ（Signal to Interference Ratio）、ＳＩＮＲ（Signal to Interference and Noise Ratio）等が挙げられる。自セル測定や他セル測定は、所定の間隔で定期的に行われる。
【００２７】
制御部２３は、無線端末１０Ａが存在するセルを形成する基地局から、送信電力低減基地局の識別情報や、送信電力低減基地局での送信電力の低減を示す情報を取得する。
【００２８】
また、制御部２３は、送信電力低減基地局の信号を検知した場合に、送信電力低減基地局の送信電力の低減に関する情報と、送信電力低減基地局の信号の受信レベルに基づいて、送信電力低減基地局への送信電力の低減を解除するための低減解除要求を通知する。
【００２９】
制御部２３は例えば、無線端末２０Ａが送信電力低減基地局の周辺基地局に接続している際に、周辺基地局を介して取得される送信電力低減基地局を識別する情報に基づいて送信電力低減基地局の信号を検知した場合、周辺基地局を介して取得される送信電力低減基地局の送信電力の低減に関する情報と、送信電力低減基地局の信号の受信電力とに基づいて、送信電力低減基地局への低減解除要求を通知する。
【００３０】
図４は、基地局１０Ａのハードウェア構成を示す図である。図４に示すように、基地局１０Ａは、ハードウェアの構成要素として、例えばアンテナ３１を備えるＲＦ（Radio  Frequency）回路３２と、ＣＰＵ（Central Processing Unit）３３と、ＤＳＰ（Digital  Signal  Processor）３４と、メモリ３５と、ネットワークＩＦ（Interface）３６とを有する。ＣＰＵは、スイッチ等のネットワークＩＦ３６を介して各種信号やデータの入出力が可能なように接続されている。メモリ３５は、例えばＳＤＲＡＭ（Synchronous  Dynamic  Random  Access  Memory）等のＲＡＭ（Random  Access  Memory）、ＲＯＭ（Read  Only  Memory)、及びフラッシュメモリの少なくともいずれかを含み、プログラムや制御情報やデータを格納する。送信部１１及び受信部１２は、例えばアンテナ３１およびＲＦ回路３２により実現される。制御部１３は、例えばＣＰＵ３３等の集積回路あるいはＤＳＰ３４等の集積回路により実現される。
【００３１】
図５は、無線端末２０Ａのハードウェア構成を示す図である。図５に示すように、無線端末２０Ａは、ハードウェアの構成要素として、例えばアンテナ４１を備えるＲＦ回路４２と、ＣＰＵ４３と、メモリ４４とを有する。さらに、無線端末２０Ａは、ＣＰＵ４３に接続されるＬＣＤ（Liquid  Crystal  Display）等の表示装置を有してもよい。メモリ４４は、例えばＳＤＲＡＭ等のＲＡＭ、ＲＯＭ、及びフラッシュメモリの少なくともいずれかを含み、プログラムや制御情報やデータを格納する。送信部２１及び受信部２２は、例えばアンテナ４１およびＲＦ回路４２により実現される。制御部２３は、例えばＣＰＵ４３等の集積回路により実現される。
【００３２】
次に、第１実施形態における無線通信システム１の動作を説明する。図６は、無線通信システム１で、基地局１０Ａの送信電力制御動作を説明するためのシーケンス図である。以下の説明では、基地局１０Ｂ，Ｃを周辺基地局とする。複数の基地局１０Ａ〜Ｃの設置状態として、例えば比較的高い密度に設置されている場合や、マクロ基地局にオーバーレイする形で、セル半径の比較的小さい基地局（小セル）が設置されている場合が想定される。例えば、小セルを用いることで単位面積当たりのスループット（セル容量）が増大される。特に、小セルは、ユーザ数が多い場合にセル容量増大に効果がある。
【００３３】
まず前提として、基地局１０Ａは、通常時の送信電力Ｐで信号を送信するように制御されている。また、基地局１０Ａ〜Ｃは、下りチャネルの時間方向又は周波数方向に、リファレンス信号を周期的に挿入して送信している。このとき、基地局１０ＡのセルＣ１０Ａに存在していた無線端末２０Ｃが移動し、基地局１０Ａに接続中の無線端末が存在しなくなった状態とする。
【００３４】
通常、基地局１０Ａは、接続中の無線端末が存在しない場合でも、周辺セルの無線端末がハンドオーバして基地局１０Ａに接続することを想定して、送信電力Ｐでリファレンス信号の送信を継続する。
【００３５】
このような場合に、基地局１０Ａの送信電力を低減したり、電源をＯＦＦにしたりすることが考えられる。これにより、システム全体の消費電力が低減されると共に、他セルへの干渉が低減される。図７に、基地局１０Ａの送信電力のグラフを例示する。図７Ａは、通常時の送信電力、図７Ｂは送信電力低減時の送信電力を示す。図７Ａ，Ｂにおいて、横軸は周波数または時間を示し、縦軸は送信電力示す。なお、送信電力低減時には、送信電力を下げてもよいし、送信間隔を間引いてもよい。
【００３６】
このとき、低減した送信電力やＯＦＦにした電源を、元に戻すか否かを判定する条件（元に戻すタイミング）を設定する必要がある。
【００３７】
例えば、送信電力を低減した状態のセルのカバーエリア内にユーザが発生した場合に、送信電力を元に戻す方法が考えられる。しかし、この方法では、送信電力を低減しているため、送信電力を低減する前の通常時のカバーエリアよりも狭いエリア内にユーザが発生しない限り、送信電力を元に戻すことができない。また、この方法では、電源をＯＦＦにした場合は、ＯＦＦにした状態でカバーエリア内のユーザの発生は検知できないので、この方法で元に戻すことは困難である。
【００３８】
また例えば、複数の基地局がカバーするエリア内のトラヒック量や統計的なトラヒック量の変化に応じて、低減した送信電力やＯＦＦにした電源を元に戻す方法が考えられる。しかし、この方法では、１つの基地局１０Ａのエリア内で接続ユーザが発生した場合に、低減した送信電力やＯＦＦにした電源を即座に元に戻すことが困難である。
【００３９】
そこで、第１実施形態では、以下のように基地局１０Ａの送信電力制御動作が行われる。
【００４０】
図６に示すように、基地局１０Ａは、信号を送信する送信電力を、既定の送信電力Ｐより低減する（Ｓ１）。基地局１０Ａは、送信電力を規定の送信電力Ｐよりオフセット量Ｃだけ低減（オフセット低減）するように制御する。送信電力の低減は例えば、基地局１０Ａの接続状態に応じて行われる。例えば、基地局１０Ａは、自セルに存在する無線端末（自局に接続中の無線端末）が存在しなくなった場合に、送信電力の低減を行う。または例えば、基地局１０Ａは、自局に接続中の無線端末が存在しない状態が所定時間経過した場合に、オフセット低減を行う。図８に、このときの無線通信システム１の状態を例示する。送信電力の低減により、基地局１０Ａの形成するセルＣ１０Ａのセル半径（カバーエリア）が小さくなる。送信電力の低減は例えば、基地局１０Ａに接続中の無線端末の個数や状態、周辺基地局に接続中の無線端末の個数や状態、および伝搬環境などの少なくともいずれかに基づいて行うことができる。このように基地局１０Ａのリファレンス信号の送信電力をオフセット低減することにより、システム全体の消費電力が低減されると共に、他セルへの干渉が低減される。
【００４１】
次に、基地局１０Ａは、送信電力の低減に関する情報（オフセットに関する情報）を周辺基地局１０Ｂ，Ｃに通知する（Ｓ２）。通知は例えば、有線ネットワークを介して行われる。オフセットに関する情報として例えば、基地局１０ＡのＩＤ（セルＩＤ）とオフセット量Ｃとが通知される。
【００４２】
次に、周辺基地局１０Ｂ，Ｃはそれぞれ、通知された基地局１０Ａのオフセットに関する情報に基づいて、低減解除に関する情報（オフセット解除に関する情報）を取得する（Ｓ３）。オフセット解除に関する情報は例えば、オフセットの解除を要求するか否かを判定するために用いられるオフセット解除用パラメータを含む。
【００４３】
次に、周辺基地局１０Ｂは、接続中の無線端末２０Ａ，Ｂに、取得した低減解除に関する情報を通知し、周辺基地局１０Ｃは、接続中の無線端末２０Ｄ，Ｅに、取得した低減解除に関する情報を通知する（Ｓ４）。通知される情報は例えば、基地局１０ＡのＩＤとオフセット解除用パラメータとを含む。オフセット解除に関する情報は、例えば個別制御チャネル、個別制御チャネルにより指定される個別データチャネルを介して、無線送信される。
【００４４】
次に、無線端末２０Ｂで、低減解除要求（オフセット解除要求）が発生する（Ｓ５）。図９に、このときの無線通信システム１の状態を例示する。例えば、無線端末２０Ｂが基地局１０Ａに近づく方向に移動し、基地局１０Ａのリファレンス信号を検知する。そして、無線端末２０Ｂは、基地局１０Ａのリファレンス信号の受信電力と、接続中の基地局１０Ｂのリファレンス信号の受信電力と、オフセット解除用パラメータとを用いて、基地局１０Ａに対してオフセットの解除を要求するか否かを判定する。判定の結果、オフセットの解除を要求すると判定されると、無線端末２０Ｂでオフセット解除要求が発生する。
【００４５】
次に、無線端末２０Ｂは、低減解除要求（オフセット解除要求）を基地局１０Ａに通知する（Ｓ６）。この通知は例えば、接続中の基地局１０Ｂに無線送信され、基地局１０Ｂからネットワーク装置３及びネットワーク２を経由して有線ネットワークを介して基地局１０Ａに通知される。
【００４６】
次に、基地局１０Ａは、低減解除要求（オフセット解除要求）に応じて、送信電力の低減を解除する（Ｓ７）。基地局１０Ａは例えば、自局の送信電力のオフセット低減を解除し、既定の送信電力Ｐに戻すように制御する。そして、基地局１０Ａからリファレンス信号が既定の送信電力Ｐを用いて送信されることとなる。このように、無線端末２０Ｂからの要求に応じて、基地局１０Ａのオフセットが解除されるので、無線端末２０Ｂの状況を反映して基地局１０Ａの送信電力が迅速に調整される。そして例えば、無線端末２０Ｂがハンドオーバを要求する場合に、オフセット解除要求の際にまたはオフセット解除要求に応じて、オフセットが解除された状態でハンドオーバ手順が実行される。
【００４７】
以上により、第１実施形態によれば、無線通信システム１において、基地局の送信電力を迅速に調整し、システム全体の消費電力を効率良く低減できる。
【００４８】
以上により、第１実施形態によれば、無線通信システムにおいて、基地局の送信電力制御を適切に行い、システム全体の消費電力を効率良く低減できる。
【００４９】
なお、無線通信システム１は、３つの基地局１０Ａ〜Ｃと５つの無線端末２０Ａ〜２０Ｅを有するとしたが、これには限られず、基地局及び無線端末の数は任意である。
【００５０】
また、無線通信システム１で、制御部１３は、基地局１０Ａに接続するすべての無線端末の通信品質が所定値以上の場合に、あるいは基地局１０Ａに接続するすべての無線端末の通信品質が所定値以上の状態が所定期間以上継続した場合に、基地局１０Ａで規定の送信電力Ｐを低減した送信電力で信号を送信するものとしてもよい。この場合、無線通信システム１で、基地局１０Ａに接続している無線端末の制御部２３は、通信品質が所定値未満となった場合に、無線端末から基地局１０Ａへの低減解除要求を通知するものとしてもよい。この場合、無線端末からの要求に応じて、基地局１０Ａのオフセットが解除されるので、無線端末の状況を反映して基地局１０Ａの送信電力が迅速に調整される。
【００５１】
また、無線通信システム１で、基地局１０Ａが規定の送信電力Ｐを低減した送信電力で信号を送信している場合に、例えば、低減解除用パラメータをハンドオーバ用パラメータの代りに他の基地局１０Ｂ，Ｃに接続している無線端末に通知して、制御部１３は、他の基地局１０Ｂ，Ｃに接続する無線端末から送信されるハンドオーバ要求に応じて、送信電力の低減を解除して、送信電力を既定の送信電力Ｐに戻してもよい。
【００５２】
また、無線通信システム１で、無線端末に関するパラメータが所定条件を満たす場合に、当該無線端末から通知される低減解除要求を破棄し、基地局で送信電力の低減を解除しないものとしもよい。低減解除要求の破棄の判定処理は、周辺基地局、ネットワーク装置および送信電力低減基地局のいずれで行われてもよい。例えば、無線通信システム１で、周辺基地局に接続する無線端末の移動速度が所定条件を満たす場合に、当該無線端末から通知される低減解除要求を破棄し、基地局で送信電力の低減を解除しないものとしもよい。この場合、例えば所定条件として、周辺基地局に接続する無線端末の移動速度が所定閾値以上の場合に、当該無線端末から通知される低減解除要求を破棄するものとしてもよい。
【００５３】
［第２実施形態］
図１０は、第２実施形態に係る無線通信システム５０の構成を示す。なお、第２実施形態に係る無線通信システム５０の全体的構成は、図１に示す無線通信システム１と同様である。
【００５４】
図１０に示すように、無線通信システム５０は、３つの基地局６０Ａ〜Ｃと、５つの無線端末８０Ａ〜Ｅとを有する。基地局６０Ａ〜Ｃはそれぞれ、セルＣ６０Ａ〜Ｃを形成している。図１０において、無線端末８０Ａ，ＢはセルＣ６０Ｂに存在し、無線端末８０ＣはセルＣ６０Ａに存在し、無線端末８０Ｄ，ＥはセルＣ６０Ｃに存在している。
【００５５】
基地局６０Ａ〜Ｃは、有線接続を介してネットワーク装置５２と接続されており、ネットワーク装置５２は、有線接続を介してネットワーク５１に接続されている。そして、基地局６０Ａ〜Ｃは、ネットワーク装置５２およびネットワーク５１を介して、データや制御情報を送受信可能に設けられている。ネットワーク装置５２の機能的構成およびハードウェア構成は、第１実施形態のネットワーク装置３と同様である。
【００５６】
図１１は、基地局６０Ａの構成を示す機能ブロック図である。なお、基地局６０Ｂ〜Ｃの機能的構成およびハードウェア構成は、基地局６０Ａの機能的構成及びハードウェア構成と同様である。図１１に示すように、基地局６０Ａ〜Ｃは、アンテナ６１と、アンテナ共用器６２と、送信機６３と、受信機６４とを有する。また、基地局６０は、受信データ処理部６５と、シグナリング抽出部６６と、ランダムアクセス受信部６７と、接続ユーザ管理部６８と、オフセット制御部６９と、を有する。また、基地局６０は、基地局間通信部７０と、オフセット解除用パラメータ生成部７１と、シグナリング生成部７２と、送信データ生成部７３と、リファレンス信号生成部７４と、送信電力調整部７５と、を有する。
【００５７】
アンテナ６１は、アンテナ共用器６２により送信と受信とに切り替えられる。受信の際に、アンテナ６１は、無線信号を受信して、受信機６４に出力する。また、アンテナ６１は、送信の際に、送信機６３から入力される無線信号を送信する。なお、基地局６０は、アンテナを複数備えてもよい。また、基地局６０は、アンテナを送信と受信とでそれぞれ備えてもよい。
【００５８】
受信機６４は、例えば上りのデータチャネルや制御チャネルを介して、上り信号を受信する。信号を受信するチャネルは例えば、ＰＲＡＣＨ（Physical Random Access Channel）や、ＰＵＳＣＨ（Physical Uplink Shared Channel）やＰＵＣＣＨ（Physical Uplink Control Channel）を含む。上り信号は例えば、ランダムアクセス信号や、リファレンス信号や、制御信号や、データ信号を含む。ランダムアクセス信号は、ランダムアクセス手順で無線端末から送信される信号である。基地局６０Ａ〜Ｃは、ランダムアクセス信号を受信して情報のやり取りを行うことで、無線端末８０（ユーザ）を認識し、自局に接続している無線端末８０（接続ユーザ）の情報を管理する。
【００５９】
受信機６４は、受信信号に、Ａ／Ｄ（Analog to Digital）変換等の無線処理や、ＦＦＴ処理等のデジタル信号処理を行う。受信機６４は、受信データ処理部６５に、受信されたデータ信号や、制御信号や、リファレンス信号を出力する。また、受信機６４は、ランダムアクセス受信部６７に、受信されたランダムアクセス信号を出力する。
【００６０】
受信データ処理部６５は、受信されたデータ信号や、制御信号や、リファレンス信号について、復調処理や復号処理を行う。受信データ処理部６５は例えば、予め通知される或いは格納される制御情報と、復調処理のためのリファレンス信号と、に基づいて復調処理を行う。また、受信データ処理部６５は、予め通知される或いは格納される制御情報と、チャネル推定のためのリファレンス信号とから推定されるチャネル推定値と、に基づいて復調処理された信号の復号処理を行う。復号処理は、例えば、リファレンス信号を用いて推定されたＰＵＳＣＨのチャネル推定値を用いて行われる。
【００６１】
シグナリング抽出部６６は、復号処理された信号のリオーダリング処理等を行い、受信データを取得して出力する。また、シグナリング抽出部６６は、受信信号から取得される受信品質や、制御情報等を出力する。
【００６２】
ランダムアクセス受信部６７は、ランダムアクセス信号を受信して、ランダムアクセス手順を行う。
【００６３】
接続ユーザ管理部６８は、自局に接続中の無線端末（接続ユーザ）の情報を管理する。例えば、接続中の無線端末の識別情報や、接続中の無線端末への無線リソースの割当て情報を管理する。接続ユーザ管理部６８は、接続ユーザの情報をオフセット制御部６９に通知する。
【００６４】
オフセット制御部６９は、自局の接続状態が所定の条件を満たす場合に、送信電力を所定のオフセット量だけ低減するように制御する。例えば、オフセット制御部６９は、自局に接続中の無線端末がなくなった場合に、送信電力をオフセット低減するように制御する。また、オフセット制御部６９は、オフセット解除要求に応じて、送信電力のオフセットを解除する。
【００６５】
送信電力調整部７５は、オフセット制御部６９からの指示（オフセット量）に従い、信号を送信する送信電力を調整する。
【００６６】
基地局間通信部７０は、オフセット量を周辺基地局へ通知する。通知は例えば、ネットワーク装置５２およびネットワーク５１を経由して、有線ネットワークを介して行われる。
【００６７】
また、基地局間通信部７０は、送信電力をオフセット低減した他の基地局６０Ａ〜Ｃからのオフセット量を受信し、オフセット解除用パラメータ生成部７１に通知する。
【００６８】
オフセット解除用パラメータ生成部７１は、オフセット量に基づいて、自局に接続中の無線端末８０Ａ〜Ｅに通知するオフセット解除用パラメータを生成する。例えば、ハンドオーバ用パラメータαと、オフセット解除用パラメータβと、オフセット量Ｃとが、下記式（１）の条件を満たすように設定される。
【００６９】
β＜α−Ｃ  ・・・（１）
シグナリング生成部７２は、ユーザデータや制御情報を、予め決められたシグナリングフォーマットに格納する。ユーザデータは例えば、ネットワーク装置５２や他の基地局６０Ｂ，Ｃから取得され、送信バッファに格納される。シグナリング生成部７２は例えば、オフセット解除用パラメータを、予め決められたシグナリングフォーマットに格納する。
【００７０】
送信データ生成部７３は、制御情報に基づいて、シグナリングフォーマットに格納されたデータ信号や制御信号に符号化処理や変調処理を行い、送信データを生成する。
【００７１】
リファレンス信号生成部７４は、データの復調やチャネル推定に用いられる、リファレンス信号を生成する。
【００７２】
送信機６３は、送信信号を生成して、アンテナ６１に出力する。送信機６３は例えば、送信データやリファレンス信号についてアンテナポートや無線リソースの割当を行う。また、送信機６３は例えば、デジタル信号処理や、Ｄ／Ａ（Digital to Analog）変換処理等の無線処理を行い、送信信号を生成する。
【００７３】
送信機６３は、例えば下りのデータチャネルや制御チャネルを介して、下り信号を送信する。信号を送信するチャネルは例えば、同期チャネルＰＳＣＨ（Physical Synchronization Channel）、報知チャネルＰＢＣＨ（Physical Broadcast Channel）、ＰＤＳＣＨ（Physical Downlink Shared Channel）およびＰＤＣＣＨ（Physical Downlink Control Channel）を含む。下り信号は、リファレンス信号や、制御信号や、データ信号を含む。
【００７４】
図１２は、無線端末８０Ａの機能的構成を示すブロック図である。なお、無線端末８０Ｂ〜Ｅの機能的構成およびハードウェア構成は、無線端末８０Ａの機能的構成及びハードウェア構成と同様である。図１２に示すように、無線端末８０は、アンテナ８１と、アンテナ共用器８２と、送信機８３と、受信機８４と、を有する。また、無線端末８０は、受信データ処理部８５と、シグナリング抽出部８６と、自セル測定部８７と、周辺セル測定部８８と、ハンドオーバ判定部８９と、オフセット解除判定部９０と、を有する。また、無線端末８０は、シグナリング生成部９１と、送信データ生成部９２と、ランダムアクセス生成部９３と、を有する。
【００７５】
アンテナ８１は、アンテナ共用器８２により送信と受信とに切り替えられる。受信の際に、アンテナ８１は、無線信号を受信して、受信機８４に出力する。また、アンテナ８１は、送信の際に、送信機８３から入力される無線信号を送信する。なお、無線端末８０は、アンテナを複数備えてもよい。また、無線端末８０は、アンテナを送信と受信とでそれぞれ備えてもよい。
【００７６】
受信機８４は、例えば下りのデータチャネルや制御チャネルを介して、下り信号を受信する。受信信号は例えば、リファレンス信号や、基地局の識別情報や、送信電力低減基地局でのオフセット量Ｃを含む。受信機８４は、受信信号に、Ａ／Ｄ変換等の無線処理や、ＦＦＴ処理等のデジタル信号処理を行う。
【００７７】
受信機８４は、受信データ処理部８５に、受信されたデータ信号や、制御信号や、リファレンス信号を出力する。また、受信機８４は、無線端末８０Ａが接続している基地局の識別情報に基づいて、該基地局から受信されたリファレンス信号を検知し、該リファレンス信号を自セル測定部８７に出力する。また、受信機８４は、無線端末８０が接続している基地局の周辺基地局の識別情報に基づいて、該周辺基地局から受信されたリファレンス信号を検知し、該リファレンス信号を周辺セル測定部８８に出力する。
【００７８】
受信データ処理部８５は、受信されたデータ信号や制御信号について、復調処理や復号処理を行う。受信データ処理部８５は例えば、予め通知される或いは格納される制御情報と、復調処理のためのリファレンス信号とに基づいて、復調処理を行う。また、受信データ処理部８５は、予め通知される或いは格納される制御情報と、チャネル推定のためのリファレンス信号とから推定されるチャネル推定値とに基づいて、復調処理された信号の復号処理を行う。
【００７９】
シグナリング抽出部８６は、復号処理された受信信号のリオーダリング処理等を行い、データや制御情報を抽出する。抽出された制御情報は例えば、基地局や周辺基地局の識別情報（例えばセルＩＤ等）や、基地局や周辺基地局から送信されるリファレンス信号に関する構成情報や、ハンドオーバ用パラメータや、オフセット解除用パラメータを含む。シグナリング抽出部８６は、ハンドオーバ用パラメータを、ハンドオーバ判定部８９に出力する。また、シグナリング抽出部８６は、オフセット解除用パラメータを、オフセット解除判定部９０に出力する。
【００８０】
自セル測定部８７は、自セルのリファレンス信号（無線端末８０Ａが接続している基地局６０Ｂから送信されるリファレンス信号）から、受信電力を測定する。
【００８１】
周辺セル測定部８８は、他セルのリファレンス信号（基地局６０Ｂの周辺基地局から送信されるリファレンス信号）から、受信電力を測定する。
【００８２】
ハンドオーバ判定部８９は、ハンドオーバ手順を開始するためのハンドオーバ要求を通知するか否かを判定する。ハンドオーバ判定部８９は例えば、下記式（２）の条件が満たされるか否かを判定する。式（２）において、「他セルのリファレンス信号の受信電力」をＡ[dB]、「自セルのリファレンス信号の受信電力」をＢ[dB]、「ハンドオーバ用パラメータ」をα[dB]として、
Ａ−Ｂ＞α  ・・・（２）
とする。式（２）の条件を満たす場合、ハンドオーバ手順が開始され、ハンドオーバ要求が通知される。
【００８３】
オフセット解除判定部９０は、オフセット解除要求を通知するか否かを判定する。オフセット解除判定部９０は例えば、下記式（３）の条件が満たされるか否かを判定する。式（３）において、「他セルのリファレンス信号の受信電力」をＡ[dB]、「自セルの基地局のリファレンス信号の受信電力」をＢ[dB]、「オフセット解除用パラメータ」をβ[dB]として、
Ａ−Ｂ＞β  ・・・（３）
とする。式（３）の条件を満たす場合、オフセット解除要求が通知される。
【００８４】
シグナリング生成部９１は、ユーザデータや制御情報から、パケットデータを生成し、生成されたパケットを、トランスポートブロックへ格納する等の処理を行う。シグナリング生成部９１は、オフセット解除要求を予め決められたシグナリングフォーマットに格納する。
【００８５】
送信データ生成部９２は、制御情報に基づいて、シグナリングフォーマットに格納されたデータ信号や制御信号に符号化処理や変調処理を行い、送信データを生成する。
【００８６】
ランダムアクセス生成部９３は、ランダムアクセス手順のためのランダムアクセス信号を生成する。無線端末８０Ａ〜Ｅは、無線端末８０Ａ〜Ｅが基地局６０Ａ〜Ｃに接続する場合や、無線端末８０Ａ〜Ｅが他の基地局６０Ａ〜Ｃから基地局６０Ａ〜Ｃにハンドオーバする場合に、ランダムアクセス手順により、基地局６０Ａ〜Ｃと呼接続のための情報のやり取りを行う。ランダムアクセス生成部９３は例えば、予め定められたランダムアクセスプリアンブル構成情報から、ランダムアクセス信号として所定の信号シーケンスを生成する。
【００８７】
送信機８３は、送信信号を生成して、アンテナ８１に出力する。送信機８３は例えば、送信データやランダムアクセス信号について、アンテナポートや無線リソースの割当を行う。また、送信機８３は例えば、デジタル信号処理や、Ｄ／Ａ変換処理等の無線処理を行い、送信信号を生成する。送信信号は例えば、ランダムアクセス信号や、オフセット低減解除要求や、ハンドオーバ要求を含む。
【００８８】
なお、基地局６０Ａのハードウェア構成は、第１実施形態の基地局１０Ａのハードウェア構成と同様である。基地局６０Ａのアンテナ６１と、アンテナ共用器６２と、送信機６３の無線処理機能と、受信機６４の無線処理機能とは、例えばアンテナおよびＲＦ回路により実現される。また、基地局６０Ａの送信機６３のデジタル信号処理機能と、受信機６４のデジタル信号処理機能と、受信データ処理部６５と、シグナリング抽出部６６と、ランダムアクセス受信部６７と、接続ユーザ管理部６８と、オフセット制御部６９と、基地局間通信部７０と、オフセット解除用パラメータ生成部７１と、シグナリング生成部７２と、送信データ生成部７３と、リファレンス信号生成部７４と、送信電力調整部７５とは、例えばＣＰＵ等の集積回路により実現される。
【００８９】
また、無線端末８０Ａのハードウェア構成は、第１実施形態の無線端末２０Ａのハードウェア構成と同様である。無線端末８０Ａのアンテナ８１と、アンテナ共用器８２と、送信機８３の無線処理機能と、受信機８４の無線処理機能とは、例えばアンテナ、およびＲＦ回路により実現される。無線端末８０Ａの送信機８３の無線処理機能と、受信機８４の無線処理機能と、受信データ処理部８５と、シグナリング抽出部８６と、自セル測定部８７と、周辺セル測定部８８と、ハンドオーバ判定部８９と、オフセット解除判定部９０と、シグナリング生成部９１と、送信データ生成部９２と、ランダムアクセス生成部９３とは、例えばＣＰＵ等の集積回路により実現される。
【００９０】
次に、第２実施形態における無線通信システム５０の動作を説明する。図１３は、無線通信システム５０で、基地局６０Ａの送信電力制御動作を説明するためのシーケンス図である。以下の説明では、基地局６０Ｂ，Ｃを周辺基地局とする。まず前提として、基地局６０Ａ〜Ｃは、下りチャネルの時間方向又は周波数方向に、リファレンス信号を周期的に挿入して送信している。なお、リファレンス信号の挿入は非周期的でもよい。また、基地局６０Ａは、通常時の送信電力Ｐで信号を送信するように制御されている。このとき、基地局６０ＡのセルＣ６０Ａに存在していた無線端末８０Ｃが移動し、基地局６０Ａに接続中の無線端末がなくなった状態とする。
【００９１】
図１３に示すように、基地局６０Ａは、接続中の無線端末がなくなったことを契機として、信号を送信する送信電力Ｐを、オフセット量Ｃだけ低減（オフセット低減）するように制御する（Ｓ１１）。これにより、基地局６０Ａが形成するセルＣ６０Ａのセル半径（カバーエリア）が小さくなる。このように基地局６０Ａのリファレンス信号の送信電力をオフセット低減することにより、システム全体の消費電力が低減されると共に、他セルへの干渉が低減される。
【００９２】
次に、基地局６０Ａは、基地局６０ＡのＩＤ（セルＩＤ）とオフセット量Ｃとを、周辺基地局６０Ｂ，Ｃに通知する（Ｓ１２）。通知は例えば、有線ネットワークを介して行われる。
【００９３】
次に、周辺基地局６０Ｂ，Ｃはそれぞれ、通知された基地局６０Ａのオフセット量Ｃに基づいて、オフセット解除用パラメータβを取得する（Ｓ１３）。
【００９４】
次に、周辺基地局６０Ｂは、接続中の無線端末８０Ａ，Ｂに、基地局６０ＡのＩＤとオフセット解除用パラメータβとを通知し、周辺基地局６０Ｃは、接続中の無線端末８０Ｄ，Ｅに、基地局６０ＡのＩＤとオフセット解除用パラメータβとを通知する（Ｓ１４）。通知は無線送信を介して行われる。
【００９５】
次に、無線端末８０Ｂで、オフセット解除要求が発生する（Ｓ１５）。例えば、無線端末８０Ｂが基地局６０Ａに近づく方向に移動し、基地局６０Ａのリファレンス信号を検知する。そして、無線端末８０Ｂは、基地局６０Ａのリファレンス信号の受信電力Ａと、接続中の基地局６０Ｂのリファレンス信号の受信電力Ｂと、オフセット解除用パラメータβとを用いて、基地局６０Ａに対してオフセットの解除を要求するか否かを判定する。この判定は、上述の式（３）の条件が満たされるか否かで行われる。判定の結果、オフセットの解除を要求すると判定され、無線端末８０Ｂでオフセット解除要求が発生する。このとき、上述の式（１）のように、オフセット解除用パラメータβが、ハンドオーバ用パラメータαとオフセット量Ｃとの差分よりも小さくなるように設定されているので、無線端末８０Ｂ（ユーザ）が基地局６０Ａの通常時のカバーエリアＣ６０Ａ内に入る前に、基地局６０Ａへのオフセット解除要求が発生することとなる。
【００９６】
次に、無線端末８０Ｂは、オフセット解除要求を基地局６０Ａに通知する（Ｓ１６）。この通知は例えば、接続中の基地局６０Ｂに無線送信され、基地局６０Ｂからネットワーク装置５２及びネットワーク５１を経由して有線ネットワークを介して基地局６０Ａに通知される。
【００９７】
次に、基地局６０Ａは、オフセット解除要求に応じて、自局の送信電力のオフセット低減を解除し、通常時の送信電力Ｐに戻すように制御する（Ｓ１７）。そして、基地局６０Ａからリファレンス信号が送信電力Ｐを用いて送信されることとなる。このように、無線端末８０Ｂからの要求に応じて、基地局６０Ａのオフセットが解除されるので、無線端末８０Ｂの状況を反映して基地局６０Ａの送信電力が迅速に制御される。このとき、上述のようにオフセット解除要求が発生するので、無線端末８０Ｂ（ユーザ）が基地局６０Ａの通常時のカバーエリアＣ６０Ａ内に入る前に、基地局６０Ａのオフセットが解除される。
【００９８】
次に、無線端末８０Ｂで、ハンドオーバ要求が発生する（Ｓ１８）。例えば、無線端末８０Ｂは、オフセット解除後の基地局６０Ａのリファレンス信号の受信電力Ａと、接続中の基地局６０Ｂのリファレンス信号の受信電力Ｂと、ハンドオーバ用パラメータαとを用いて、基地局６０Ａに対してハンドオーバの実行を要求するか否かを判定する。この判定は、上述の式（２）の条件が満たされるか否かで行われる。判定の結果、ハンドオーバの実行を要求すると判定され、無線端末８０Ｂでハンドオーバ要求が発生する。このとき、上述のように、無線端末８０Ｂが基地局６０Ａの通常時のカバーエリア内に入る前に、基地局６０Ａがオフセットを解除することになるため、基地局６０Ａがオフセットを解除して送信電力が安定してから、無線端末８０Ｂがハンドオーバを起動できる。
【００９９】
次に、無線端末８０Ｂは、ハンドオーバ要求を基地局６０Ａに通知する（Ｓ１９）。この通知は例えば、接続中の基地局６０Ｂに無線送信され、基地局６０Ｂからネットワーク装置５２及びネットワーク５１を経由して有線ネットワークを介して基地局６０Ａに通知される。
【０１００】
そして、無線端末８０Ｂと、基地局６０Ｂ（移動元基地局）と、基地局６０Ａ（移動先基地局）との間で、ハンドオーバ手順が実行され、無線端末８０Ｂが基地局６０Ａに接続する（Ｓ２０）。
【０１０１】
以上により、第２実施形態によれば、無線通信システム５０において、基地局の送信電力を迅速に調整し、システム全体の消費電力を効率良く低減できる。
【０１０２】
なお、第２実施形態において、無線通信システム５０は、３つの基地局６０Ａ〜Ｃと５つの無線端末８０Ａ〜８０Ｅを有するとしたが、これには限られず、基地局及び無線端末の数は任意である。
【０１０３】
また、第２実施形態において、オフセット解除用パラメータβは、ハンドオーバ用パラメータαと、オフセット量Ｃとについて、下記式（４）の条件を満たすように設定されるものとしてもよい。
【０１０４】
β＞α−Ｃ  ・・・（４）
このように設定した場合、ユーザ（無線端末８０Ｂ）が送信電力低減基地局（基地局６０Ａ）の通常時のカバーエリアＣ６０Ａ内に十分入ってから、ユーザでオフセット解除要求が発生し、送信電力低減基地局で送信電力のオフセットが解除されることとなる。これにより、オフセット解除の直後に再び送信電力低減状態に戻るピンポン動作を防ぐことができる。
【０１０５】
［第３実施形態］
次に、第３実施形態に係る無線通信システムについて説明する。第３実施形態に係る無線通信システムの全体的構成は、第２実施形態の無線通信システム５０の構成と同様である。
【０１０６】
第３実施形態に係る基地局は、第２実施形態の基地局６０Ａと、オフセット解除用パラメータ生成部７１、シグナリング生成部７２及びオフセット制御部６９に係る動作が相違する。
【０１０７】
第３実施形態では、オフセット解除用パラメータ生成部は、オフセット解除用パラメータを生成する際に、ハンドオーバ用パラメータαと、オフセット解除用パラメータβと、オフセット量Ｃとが、下記式（５）の条件を満たすように設定する。
【０１０８】
β＝α−Ｃ  ・・・（５）
そして、シグナリング生成部は、オフセット解除用パラメータをハンドオーバ用パラメータのシグナリングフォーマットに格納し、送信電力低減基地局の識別情報と共に、該基地局に接続している無線端末に通知させる。これにより、ハンドオーバ用パラメータαの代りに、オフセット解除用パラメータβが無線端末に通知され、ハンドオーバ用パラメータαがオフセット量Ｃに応じて更新されたこととなる。
【０１０９】
また、オフセット制御部６９は、ハンドオーバ要求に応じて、オフセットを解除する。
【０１１０】
第３実施形態に係る基地局の他の構成は、第２実施形態の基地局６０Ａの構成と同様である。また、第３実施形態に係る基地局のハードウェア構成は、第２実施形態の基地局６０Ａのハードウェア構成と同様である。
【０１１１】
第３実施形態に係る無線端末は、第２実施形態の無線端末８０Ａと、オフセット解除判定部９０を備えない点が相違する。
【０１１２】
第３実施形態に係る無線端末の他の構成は、第２実施形態の無線端末８０Ａの構成と同様である。また、第３実施形態に係る無線端末のハードウェア構成は、第２実施形態の無線端末８０Ａのハードウェア構成と同様である。
【０１１３】
次に、第３実施形態における無線通信システムの動作を説明する。図１４は、第３実施形態における無線通信システムで、基地局の送信電力制御動作を説明するためのシーケンス図である。以下の説明では、前提として、基地局は、通常時の送信電力Ｐで信号を送信するように制御されている。また、基地局および該基地局の周辺基地局は、下りチャネルの時間方向又は周波数方向に、リファレンス信号を周期的に挿入して送信している。なお、リファレンス信号の挿入は非周期的でもよい。このとき、基地局のセル（通常時のカバーエリア）に存在していた無線端末が移動し、基地局に接続中の無線端末がなくなった状態とする。
【０１１４】
図１４に示すように、基地局は、接続中の無線端末がなくなったことを契機として、信号を送信する送信電力Ｐを、オフセット量Ｃだけ低減（オフセット低減）するように制御する（Ｓ３１）。これにより、基地局（送信電力低減基地局）が形成するセルのサイズ（カバーエリア）が小さくなる。このように基地局のリファレンス信号の送信電力をオフセット低減することにより、システム全体の消費電力が低減されると共に、他セルへの干渉が低減される。
【０１１５】
次に、基地局は、基地局ＩＤ（セルＩＤ）とオフセット量Ｃとを、周辺基地局に通知する（Ｓ３２）。通知は例えば、有線ネットワークを介して行われる。
【０１１６】
次に、周辺基地局は、通知されたオフセット量Ｃに基づいて、オフセット解除用パラメータβを取得する（Ｓ３３）。オフセット解除用パラメータβは、例えば上述の式（５）を満たすように設定される。
【０１１７】
次に、周辺基地局は、接続中の無線端末に、基地局ＩＤと、更新されたハンドオーバ用パラメータα（＝オフセット解除用パラメータβ）とを通知する（Ｓ３４）。通知は無線送信を介して行われる。
【０１１８】
次に、無線端末で、ハンドオーバ要求が発生する（Ｓ３５）。例えば、無線端末が基地局に近づく方向に移動し、基地局のリファレンス信号を検知する。そして、無線端末は、基地局（上述の送信電力低減基地局）のリファレンス信号の受信電力Ａと、接続中の基地局（上述の周辺基地局）のリファレンス信号の受信電力Ｂと、更新されたハンドオーバ用パラメータα（＝オフセット解除用パラメータβ）とを用いて、基地局に対してハンドオーバの実行を要求するか否かを判定する。この判定は、上述の式（２）の条件が満たされるか否かで行われる。判定の結果、ハンドオーバの実行を要求すると判定され、無線端末でハンドオーバ要求が発生する。
【０１１９】
次に、無線端末は、ハンドオーバ要求を基地局に通知する（Ｓ３６）。この通知は例えば、接続中の基地局（上述の周辺基地局）に無線送信され、周辺基地局からネットワーク装置及びネットワークを経由して、有線ネットワークを介して基地局（上述の送信電力低減基地局）に通知される。
【０１２０】
次に、基地局は、ハンドオーバ要求に応じて、送信電力のオフセットを解除する（Ｓ３７）。基地局は、送信電力を通常時の送信電力Ｐに戻すように制御し、送信電力Ｐを用いてリファレンス信号が送信される。このように、無線端末からの要求に応じて、基地局のオフセットが解除されるので、無線端末の状況を反映して基地局の送信電力が迅速に制御される。また、第３実施形態では、オフセット解除用パラメータをハンドオーバ用パラメータの代りに無線端末に通知し、無線端末からのハンドオーバ要求に応じて、オフセットが解除されるので、オフセット解除用パラメータのシグナリングを追加することなく、オフセットの解除を実行することができる。
【０１２１】
そして、無線端末と、上述の周辺基地局（移動元基地局）と、上述の基地局（移動先基地局）との間で、ハンドオーバ手順が実行され、無線端末が基地局に接続する（Ｓ３８）。
【０１２２】
以上により、第３実施形態によれば、無線通信システムにおいて、基地局の送信電力を迅速に調整し、システム全体の消費電力を効率良く低減できる。
【０１２３】
［第４実施形態］
次に、第４実施形態に係る無線通信システムについて説明する。第４実施形態に係る無線通信システムの全体的構成は、第２実施形態の無線通信システム５０の構成と同様である。
【０１２４】
図１５は、第４実施形態に係る無線通信システムにおける基地局１２０の機能的構成を示すブロック図である。図１５に示すように、基地局１２０は、アンテナ１２１と、アンテナ共用器１２２と、送信機１２３と、受信機１２４とを有する。また、基地局１２０は、受信データ処理部１２６と、シグナリング抽出部１２７と、ランダムアクセス受信部１２８と、接続ユーザ管理部１２９と、オフセット制御部１３０と、を有する。また、基地局１２０は、基地局間通信部１３１と、オフセット解除用パラメータ生成部１３２と、シグナリング生成部１３３と、送信データ生成部１３４と、リファレンス信号生成部１３５と、送信電力調整部１３６と、を有する。
【０１２５】
第４実施形態に係る基地局１２０は、第２実施形態に係る基地局６０Ａと、フェージング推定部１２５を備える点が相違する。また、基地局１２０は、受信機１２４及びオフセット制御部１３０に関する動作が、基地局６０Ａの受信機６１及びオフセット制御部７０に関する動作と相違する。
【０１２６】
受信機１２１は、フェージング推定部１２５に、受信信号を出力する。
【０１２７】
フェージング推定部１２５は、受信信号に基づいて、無線端末のフェージング周波数を推定する。フェージング周波数は、無線端末の移動速度と関係するため、基地局１２０は無線端末の移動速度を推定することができる。フェージング推定部１２５で推定した移動速度の情報は、オフセット制御部１３０に出力される。
【０１２８】
オフセット制御部１３０は、無線端末からのオフセット解除要求を受信した際に、移動速度が閾値以上の場合、無線端末からのオフセット解除要求を破棄し、オフセット解除を行わない。
【０１２９】
基地局１２０の他の構成である、アンテナ１２１と、アンテナ共用器１２２と、送信機１２３と、受信データ処理部１２６と、シグナリング抽出部１２７と、ランダムアクセス受信部１２８と、接続ユーザ管理部１２９と、基地局間通信部１３１と、オフセット解除用パラメータ生成部１３２と、シグナリング生成部１３３と、送信データ生成部１３４と、リファレンス信号生成部１３５と、送信電力調整部１３６とは、基地局６０Ａのアンテナ６１と、アンテナ共用器６２と、送信機６３と、受信データ処理部６５と、シグナリング抽出部６６と、ランダムアクセス受信部６７と、接続ユーザ管理部６８と、基地局間通信部７０と、オフセット解除用パラメータ生成部７１と、シグナリング生成部７２と、送信データ生成部７３と、リファレンス信号生成部７４と、送信電力調整部７５と、それぞれ同様である。
【０１３０】
また、基地局１２０のハードウェア構成は、第２実施形態の基地局６０Ａのハードウェア構成と同様である。基地局１２０のアンテナ１２１と、アンテナ共用器１２２と、送信機１２３の無線処理機能と、受信機１２４の無線処理機能とは、例えばアンテナおよびＲＦ回路により実現される。また、基地局１２０Ａの送信機１２３のデジタル信号処理機能と、受信機１２４のデジタル信号処理機能と、フェージング推定部１２５と、受信データ処理部１２６と、シグナリング抽出部１２７と、ランダムアクセス受信部１２８と、接続ユーザ管理部１２９と、オフセット制御部１３０と、基地局間通信部１３１と、オフセット解除用パラメータ生成部１３２と、シグナリング生成部１３３と、送信データ生成部１３４と、リファレンス信号生成部１３５と、送信電力調整部１３６とは、例えばＣＰＵ等の集積回路により実現される。
【０１３１】
第４実施形態に係る無線端末の機能的構成は、第２実施形態の無線端末８０Ａの機能的構成と同様である。また、第３実施形態に係る無線端末のハードウェア構成は、第２実施形態の無線端末８０Ａのハードウェア構成と同様である。
【０１３２】
次に、第４実施形態における無線通信システムの動作を説明する。図１６は、第４実施形態における無線通信システムで、複数の基地局１２０のうち１つの基地局（送信電力低減基地局）の送信電力制御動作を説明するためのシーケンス図である。以下の説明では、前提として、基地局は、通常時の送信電力Ｐで信号を送信するように制御されている。基地局および該基地局の周辺基地局は、下りチャネルの時間方向又は周波数方向に、リファレンス信号を周期的に挿入して送信している。なお、リファレンス信号の挿入は非周期的でもよい。また、このとき、基地局のセル（通常時のカバーエリア）に存在していた無線端末が移動し、基地局に接続中の無線端末がなくなった状態とする。
【０１３３】
図１６に示すように、基地は、接続中の無線端末がなくなったことを契機として、信号を送信する送信電力Ｐを、オフセット量Ｃだけ低減（オフセット低減）するように制御する（Ｓ５１）。これにより、基地局（送信電力低減基地局）が形成するセルのサイズ（カバーエリア）が小さくなる。このように基地局のリファレンス信号の送信電力をオフセット低減することにより、システム全体の消費電力が低減されると共に、他セルへの干渉が低減される。
【０１３４】
次に、基地局は、基地局ＩＤ（セルＩＤ）とオフセット量Ｃとを、周辺基地局に通知する（Ｓ５２）。通知は例えば、有線ネットワークを介して行われる。
【０１３５】
次に、周辺基地局は、通知されたオフセット量Ｃに基づいて、オフセット解除用パラメータβを取得する（Ｓ５３）。オフセット解除用パラメータβは、例えば上述の式（１）を満たすように設定される。
【０１３６】
次に、周辺基地局は、接続中の無線端末に、基地局ＩＤとオフセット解除用パラメータβとを通知する（Ｓ５４）。通知は無線送信を介して行われる。
【０１３７】
次に、無線端末で、オフセット解除要求が発生する（Ｓ５５）。例えば、無線端末が基地局に近づく方向に移動し、基地局のリファレンス信号を検知する。そして、無線端末は、基地局（上述の送信電力低減基地局）のリファレンス信号の受信電力Ａと、接続中の基地局（上述の周辺基地局）のリファレンス信号の受信電力Ｂと、オフセット解除用パラメータβとを用いて、基地局に対してオフセットの解除を要求するか否かを判定する。この判定は、例えば上述の式（２）の条件が満たされるか否かで行われる。判定の結果、オフセットの解除を要求すると判定され、無線端末でオフセット解除要求が発生する。このとき、上述の式（１）のように、オフセット解除用パラメータβが、ハンドオーバ用パラメータαとオフセット量Ｃとの差分よりも小さくなるように設定されているので、無線端末（ユーザ）が基地局の通常時のカバーエリア内に入る前に、基地局へのオフセット解除要求が発生することとなる。
【０１３８】
次に、無線端末は、オフセット解除要求を接続中の基地局（上述の周辺基地局）に通知する（Ｓ５６）。通知は無線送信を介して行われる。
【０１３９】
次に、周辺基地局は、接続中の無線端末の移動速度に応じて、オフセット解除要求を破棄するか否かを判定する（Ｓ５７）。周辺基地局は例えば、接続中の無線端末の受信信号からフェージング周波数を推定し、推定したフェージング周波数に基づいて接続中の無線端末の移動速度を取得する。周辺基地局は例えば、移動速度が所定の閾値以上である場合、無線端末からのオフセット解除要求を破棄する。これにより、基地局（上述の送信電力低減基地局）にオフセット解除要求が通知されず、オフセット解除が行われないこととなる。移動速度が比較的大きい無線端末については、オフセットを解除しても、直ぐにセル外に移動してしまう可能性が高い。このため、移動速度が所定の閾値以上の無線端末からのオフセット解除要求を破棄することで、特に、セル半径が比較的小さい基地局で、オフセットのＯＮ／ＯＦＦが頻繁に行われることを防ぐことができる。Ｓ５７でオフセット解除要求が破棄された場合、そのまま処理が終了される。
【０１４０】
Ｓ５７でオフセット解除要求が破棄されなかった場合、周辺基地局は、オフセット解除要求を基地局に通知する（Ｓ５８）。この通知は、例えばネットワーク装置及びネットワークを経由して、有線ネットワークを介して基地局に通知される。
【０１４１】
次に、基地局は、オフセット解除要求に応じて、自局の送信電力のオフセット低減を解除する（Ｓ５９）。そして、基地局からリファレンス信号が送信電力Ｐを用いて送信されることとなる。このように、無線端末からの要求に応じて、基地局のオフセットが解除されるので、無線端末の状況を反映して基地局の送信電力が迅速に制御される。
【０１４２】
次に、無線端末で、ハンドオーバ要求が発生する（Ｓ６０）。例えば、無線端末は、オフセット解除後の基地局のリファレンス信号の受信電力Ａと、接続中の基地局のリファレンス信号の受信電力Ｂと、ハンドオーバ用パラメータαとを用いて、基地局に対してハンドオーバの実行を要求するか否かを判定する。この判定は、上述の式（２）の条件が満たされるか否かで行われる。判定の結果、ハンドオーバの実行を要求すると判定され、無線端末でハンドオーバ要求が発生する。
【０１４３】
次に、無線端末は、ハンドオーバ要求を基地局に通知する（Ｓ６１）。この通知は例えば、接続中の基地局に無線送信され、接続中の基地局からネットワーク装置及びネットワークを経由して、有線ネットワークを介して基地局に通知される。
【０１４４】
そして、無線端末と、上述の周辺基地局（移動元基地局）と、上述の送信電力低減基地局（移動先基地局）との間で、ハンドオーバ手順が実行され、無線端末が移動先基地局に接続する（Ｓ６２）。
【０１４５】
以上により、第４実施形態によれば、無線通信システムにおいて、基地局の送信電力を迅速に調整し、システム全体の消費電力を効率良く低減できる。
【０１４６】
なお、第４実施形態において、基地局１２０のフェージング推定部１２５で推定したフェージング周波数から無線端末の移動速度を取得するものとしたが、例えば、無線端末で測定した移動速度に関する情報をシグナリングにより基地局１２０に通知し、通知された移動速度に関する情報をシグナリング抽出部１２７で抽出し、抽出した移動速度に関する情報をオフセット制御部１３０に通知するものとしてもよい。
【０１４７】
また、第１〜第４実施形態の無線通信システムは、例えば、ＬＴＥシステムやＬＴＥ−Ａシステムとして実現できる。なお、ＬＴＥやＬＴＥ−Ａ以外の通信方式を用いた無線通信システムに適用することも可能である。
【０１４８】
また、第１〜第４実施形態は、無線端末として、携帯電話機、スマートフォン、ＰＤＡ（Personal  Digital  Assistant）などの携帯端末に適用可能である。また、第１〜第４実施形態は、その他、移動中継局など、基地局との間で通信を行う様々な通信機器に対して適用可能である。
【０１４９】
また、第１〜第４実施形態は、基地局として、マクロ基地局、フェムト基地局など、様々な規模の基地局に適用可能である。また、第１〜第４実施形態は、その他、中継局など、移動局との間で通信を行う様々な通信機器に対して適用可能である。
【０１５０】
また、第１〜第４実施形態では、基地局間の情報やパラメータの通知は、ネットワーク装置およびネットワークを経由して、有線ネットワークを介して行われるものとしたが、例えば、基地局間で無線通信により直接、情報やパラメータの通知が行われるものとしてもよい。
【０１５１】
また、第１〜第４実施形態では、オフセット解除用パラメータを、無線端末に接続する基地局（送信電力低減基地局の周辺基地局）で算出するものとしたが、例えばオフセット解除用パラメータをネットワーク装置で算出するものとしてもよい。また例えば、オフセット量を無線端末に通知して、オフセット解除用パラメータを無線端末で算出するものとしてもよい。
【０１５２】
また、第１〜第４実施形態では、オフセットの解除を要求するか否かの判定を、無線端末で行うものとしたが、例えば、基地局やネットワーク装置で判定を行うものとしてもよい。この場合、例えば無線端末は、自セルのリファレンス信号の受信電力の測定結果や自セルのリファレンス信号の受信電力の測定結果を、無線端末に接続する基地局（送信電力低減基地局の周辺基地局）やネットワーク装置に通知する。またこの場合、オフセットに関する情報やオフセット解除用パラメータを無線端末に通知しなくてもよい。
【０１５３】
また、基地局、無線端末の各構成要素の分散・統合の具体的態様は、第１〜第４実施形態の態様に限定されず、その全部又は一部を、各種の負荷や使用状況等に応じて、任意の単位で機能的又は物理的に分散・統合して構成することもできる。例えば、メモリを、基地局、無線端末の外部装置としてネットワークやケーブル経由で接続するようにしてもよい。
【符号の説明】
【０１５４】
１，５０  無線通信システム
２，５１  ネットワーク
３，５２  ネットワーク装置
４  通信部
５  制御部
１０Ａ〜Ｃ  基地局
Ｃ１０Ａ〜Ｃ  セル
２０Ａ〜Ｅ  無線端末
１１，２１  送信部
１２，２２  受信部
１３，２３  制御部
３１，４１  アンテナ
３２，４２  ＲＦ回路
３３，４３  ＣＰＵ
３４  ＤＳＰ
３５，４４  メモリ
３６  ネットワークＩＦ
６０Ａ〜Ｃ，１２０  基地局
６１，１２１  アンテナ
６２，１２２  アンテナ共用器
６３，１２３  送信機
６４，１２４  受信機
６５，１２６  受信データ処理部
６６，１２７  シグナリング抽出部
６７，１２８  ランダムアクセス受信部
６８，１２９  接続ユーザ管理部
６９，１３０  オフセット制御部
７０，１３１  基地局間通信部
７１，１３２  オフセット解除用パラメータ生成部
７２，１３３  シグナリング生成部
７３，１３４  送信データ生成部
７４，１３５  リファレンス信号生成部
７５，１３６  送信電力調整部
８０Ａ〜Ｅ  無線端末
８１  アンテナ
８２  アンテナ共用器
８３  送信機
８４  受信機
８５  受信データ処理部
８６  シグナリング抽出部
８７  自セル測定部
８８  周辺セル測定部
８９  ハンドオーバ判定部
９０  オフセット解除判定部
９１  シグナリング生成部
９２  送信データ生成部
９３  ランダムアクセス生成部
１２５  フェージング推定部
【図１】
2013175534.tif 000003
【図２】
2013175534.tif 000004
【図３】
2013175534.tif 000005
【図４】
2013175534.tif 000006
【図５】
2013175534.tif 000007
【図６】
2013175534.tif 000008
【図７】
2013175534.tif 000009
【図８】
2013175534.tif 000010
【図９】
2013175534.tif 000011
【図１０】
2013175534.tif 000012
【図１１】
2013175534.tif 000013
【図１２】
2013175534.tif 000014
【図１３】
2013175534.tif 000015
【図１４】
2013175534.tif 000016
【図１５】
2013175534.tif 000017
【図１６】
2013175534.tif 000018
【国際調査報告】
2013175534.tif 000019
2013175534.tif 000020
2013175534.tif 000021
2013175534.tif 000022